(57)【要約】【課題】使用されることが認証されていないアンテナが送受信器に接続された時には通信を禁止して他の高周波機器に妨害を与えないようにすると共に、法規上の問題の発生を防ぐ。【解決手段】第二のアンテナ接栓５と送信回路２及び受信回路３とを有する送受信器本体１と、送受信器本体１との接続が認証されたアンテナ素子２１を組み込んだアンテナ装置２０とを備え、アンテナ装置２０には第一のコネクタ２３と、アンテナ素子が認証されたものであることを示すと共に第一のコネクタ２３に接続された認証手段２４とを設け、送受信器本体１にはアンテナ素子２１と第二のアンテナ接栓５との接続時に第一のコネクタ２３に接続される第二のコネクタ６と、二つのコネクタ同士が相互に接続した時に認証手段２４による認証の有無を判定する認証判定手段７と、認証が得られた時のみに少なくとも送信回路２の送信動作を停止させて通信を禁止するための通信制御手段８とを設けた。【選択図】        図１
2004208260.tif 000002
【特許請求の範囲】
【請求項１】
送信回路及び受信回路を有する送受信器本体と、アンテナ素子が組み込まれると共に、前記送受信器本体への装着時に前記アンテナ素子が前記送信回路及び前記受信回路に接続されるアンテナ装置とを備え、前記アンテナ装置には前記アンテナ素子の前記送信回路及び前記受信回路への接続の許可が認証されていることを示す認証手段を設け、前記送受信器本体には前記認証手段による認証の有無を判定する認証判定手段と、前記認証が得られないときに通信を禁止する通信制御手段とを設けたことを特徴とする無線通信端末装置。
【請求項２】
前記認証手段を第一のメモリで構成すると共に、前記第一のメモリには前記アンテナを認証するための情報を記憶し、前記送受信器本体には少なくとも前記第一の情報を記憶した第二のメモリを設け、前記第一のメモリから読み出した前記情報と前記第二のメモリから読み出した前記情報とを前記認証判定手段によって照合すると共に、前記二つの情報の一致の有無によって前記認証の有無を判定したことを特徴とする請求項１に記載の無線通信端末装置。
【請求項３】
前記送受信器本体にはメモリ書き込み手段を設け、前記メモリ書き込み手段によって前記第一のメモリに前記情報を書き込むと共に、前記第二のメモリに前記情報を書き込むようにしたことを特徴とする請求項２に記載の無線通信端末装置。
【請求項４】
前記アンテナ装置には前記アンテナ素子に接続された第一のアンテナ接栓を設けると共に、前記第一のメモリに接続された第一のコネクタとを設け、前記送受信器本体には前記送信回路及び前記受信回路に接続されると共に、前記第一のアンテナ接栓に接続される第二のアンテナ接栓と、前記認証判定手段と前記メモリ書き込み手段とに接続されると共に、前記第一のコネクタに接続される第二のコネクタを設けたことを特徴とする請求項３に記載の無線通信端末装置。
【請求項５】
前記アンテナ装置には前記アンテナ素子に接続された第一のアンテナ接栓と、前記第一のアンテナ接栓に接続された第一の変調送信手段及び第一の受信復調手段とを設け、前記送受信器本体には前記送信回路及び前記受信回路に接続されると共に、前記第一のアンテナ接栓に接続される第二のアンテナ接栓と、前記第二のアンテナ接栓に接続された第二の変調送信手段及び第二の受信復調手段とを設け、前記第一の変調送信手段及び前記第一の受信復調手段を前記第一のメモリに接続し、前記第二の変調送信手段を前記メモリ書き込み手段に接続すると共に、前記第二の受信復調手段を前記認証判定手段に接続したことを特徴とする請求項３に記載の無線通信端末装置。
【請求項６】
前記アンテナ装置には前記第一のアンテナ接栓に接続された整流手段を設け、前記整流手段から前記第一のメモリと前記第一の変調送信手段及び前記第一の受信復調手段に給電したことを特徴とする請求項５に記載の無線通信端末装置。
【請求項７】
前記アンテナ装置には前記アンテナ素子に接続された第一のアンテナ接栓と、第一のコネクタとを設け、前記送受信器本体には前記前記送信回路及び前記受信回路に接続されると共に、前記第一のアンテナ接栓に接続される第二のアンテナ接栓と、前記認証判定手段に接続されると共に、前記第一のコネクタに接続される第二のコネクタとを設け、前記認証手段を、前記アンテナ装置内で前記第一のコネクタの二つの端子間に接続された導体によって構成し、前記第一のコネクタの前記二つの端子に対応して接続される前記第二のコネクタの二つの端子の一方に前記認証判定手段を接続し、他方に直流電圧を印加したことを特徴とする請求項１に記載の無線通信端末装置。
【発明の詳細な説明】
【０００１】
【発明の属する技術分野】
この発明はアンテナ接続用接栓を有し、データ伝送用等に用いられる無線通信端末装置に関する。
【０００２】
【従来の技術】
従来の無線通信端末装置を図４に示す。アンテナ３１には高周波コイル３２が接地との間に接続される。一方、無線通信端末装置の本体側には電流検出回路３３及び信号出力回路３４を備えた送信制御回路３５が設けられる。電流検出回路３３はアンテナ接栓３６に直流電圧を印加して直流電流が流れるか否かを検出する。この場合、アンテナ接栓３６にアンテナ３１が接続されれば直流電流が流れる。この時は送信回路（図示せず）からの送信信号（高周波信号）がアンテナ接栓３６に出力される。しかし、電流検出回路３３が直流電流を検出しないときには、送信制御回路３５はアンテナ接栓３６にアンテナ３１が接続されていないと判定して信号出力回路３４は送信禁止信号を出力し、これによって送信信号を出力しないようにしている（例えば、特許文献１参照。）。
【０００３】
【特許文献１】
特開平４−３２６８１８号公報（図２）
【０００４】
【発明が解決しようとする課題】
従来の構成では、アンテナ接栓３６にアンテナ３１が接続された場合は電流検出回路３３が直流電流を検出するのでアンテナ３１が接続されているものと判断して送信信号が出力される。しかし、接続されたアンテナ３１がこの送信回路に適用されるべき規格に合致したものでなく、例えばアンテナ利得が必要以上に大きいものであると、アンテナ３１から大きな送信パワーが出力されるので他の高周波機器に妨害を与えたり法規上の問題が発生する。
【０００５】
本発明の無線通信端末装置は、使用されることが認証されていないアンテナが送受信器に接続された時には通信を禁止して他の高周波機器に妨害を与えないようにすると共に、法規上の問題の発生を防ぐことを目的とする。
【０００６】
【課題を解決するための手段】
本発明は、送信回路及び受信回路を有する送受信器本体と、アンテナ素子が組み込まれると共に、前記送受信器本体への装着時に前記アンテナ素子が前記送信回路及び前記受信回路に接続されるアンテナ装置とを備え、前記アンテナ装置には前記アンテナ素子の前記送信回路及び前記受信回路への接続の許可が認証されていることを示す認証手段を設け、前記送受信器本体には前記認証手段による認証の有無を判定する認証判定手段と、前記認証が得られないときに通信を禁止する通信制御手段とを設けた。
【０００７】
また、前記認証手段を第一のメモリで構成すると共に、前記第一のメモリには前記アンテナを認証するための情報を記憶し、前記送受信器本体には少なくとも前記第一の情報を記憶した第二のメモリを設け、前記第一のメモリから読み出した前記情報と前記第二のメモリから読み出した前記情報とを前記認証判定手段によって照合すると共に、前記二つの情報の一致の有無によって前記認証の有無を判定した。
【０００８】
また、前記送受信器本体にはメモリ書き込み手段を設け、前記メモリ書き込み手段によって前記第一のメモリに前記情報を書き込むと共に、前記第二のメモリに前記情報を書き込むようにした。
【０００９】
また、前記アンテナ装置には前記アンテナ素子に接続された第一のアンテナ接栓を設けると共に、前記第一のメモリに接続された第一のコネクタとを設け、前記送受信器本体には前記送信回路及び前記受信回路に接続されると共に、前記第一のアンテナ接栓に接続される第二のアンテナ接栓と、前記認証判定手段と前記メモリ書き込み手段とに接続されると共に、前記第一のコネクタに接続される第二のコネクタを設けた。
【００１０】
また、前記アンテナ装置には前記アンテナ素子に接続された第一のアンテナ接栓と、前記第一のアンテナ接栓に接続された第一の変調送信手段及び第一の受信復調手段とを設け、前記送受信器本体には前記送信回路及び前記受信回路に接続されると共に、前記第一のアンテナ接栓に接続される第二のアンテナ接栓と、前記第二のアンテナ接栓に接続された第二の変調送信手段及び第二の受信復調手段とを設け、前記第一の変調送信手段及び前記第一の受信復調手段を前記第一のメモリに接続し、前記第二の変調送信手段を前記メモリ書き込み手段に接続すると共に、前記第二の受信復調手段を前記認証判定手段に接続した。
【００１１】
また、前記アンテナ装置には前記第一のアンテナ接栓に接続された整流手段を設け、前記整流手段から前記第一のメモリと前記第一の変調送信手段及び前記第一の受信復調手段に給電した。
【００１２】
また、前記アンテナ装置には前記アンテナ素子に接続された第一のアンテナ接栓と、第一のコネクタとを設け、前記送受信器本体には前記前記送信回路及び前記受信回路に接続されると共に、前記第一のアンテナ接栓に接続される第二のアンテナ接栓と、前記認証判定手段に接続されると共に、前記第一のコネクタに接続される第二のコネクタとを設け、前記認証手段を、前記アンテナ装置内で前記第一のコネクタの二つの端子間に接続された導体によって構成し、前記第一のコネクタの前記二つの端子に対応して接続される前記第二のコネクタの二つの端子の一方に前記認証判定手段を接続し、他方に直流電圧を印加した。
【００１３】
【発明の実施の形態】
本発明の無線通信端末装置は、例えばＣＤＭＡ方式を用いたデータ伝送用として使用され、図１は第一の実施形態を示す。先ず、送受信器本体１の構成を説明する。送信回路２及び受信回路３はデュプレクサ４を介して第二のアンテナ接栓５に結合される。送信回路２の前段側及び受信回路３の後段側には図示しないベースバンド処理回路が設けられ、送信回路２及び受信回路３とベースバンド処理回路との間でデータの送受が行われる。第二のアンテナ接栓５は例えば同軸コネクタで構成され、送受信器本体１の一側面に取り付けられる。また、同じ側面には第二のコネクタ６が取り付けられる。第二のコネクタ６は３以上の端子を有し、そのうちの二つの端子６ａ、６ｂが使用される。第一の端子６ａには例えば直流電圧Ｅが印加されており、第二の端子６ｂには認証判定手段７が接続される。
【００１４】
認証判定手段７は第二の端子６ｂの電圧の有無を判定し、ハイレベル又はローレベル電圧を出力する。認証判定手段７の次段には通信制御手段８が設けられる。通信制御手段８は認証判定手段７から入力される電圧によって送信回路２及び受信回路３の動作を制御し、例えばハイレベルの電圧が入力されると、送信回路２及び受信回路３による他の端末装置との通信を許可し、ローレベルの電圧が入力されると少なくとも送信回路２から送信信号を出力しないようにして通信を禁止する。この場合、送信回路２自体を動作しないようにしても良い。また、送信出力停止に加えて受信回路３を受信不能とすることもできる。
【００１５】
送受信器本体１に接続されるアンテナ素子２１は外部から容易に改造されないようにアンテナ装置２０内に構成される。アンテナ素子２１は、送信パワーを必要以上に出力させないために送受信器本体１に接続されることが許可（認証）されたものであることが必要とされる。そして、アンテナ装置２０の一側面に取り付けられた第一のアンテナ接栓２２に接続される。第一のアンテナ接栓２２も同軸コネクタ等から構成され、送受信器本体１の第二のアンテナ接栓５と結合される。
【００１６】
また、アンテナ装置２０の同じ側面には第一のコネクタ２３が取り付けられる。第一のコネクタ２３は３以上の端子を有し、二つのアンテナ接栓５、２２が相互に結合してアンテナ素子２１が送受信器本体１に接続されたときに第二のコネクタ６と相互に接続される。第一のコネクタ２３の各端子は第二のコネクタ６の各端子に対応して接続される。このうちの第一の端子２３ａと第二の端子２３ｂ間には認証手段である導体２４が接続される、導体２４はアンテナ２１が認証されたものであることを示す。第一の端子２３ａは第二のコネクタ６の第一の端子６ａに接続され、第二の端子２３ｂは第二のコネクタ６の第二の端子６ｂに接続される。よって、二つのコネクタ６、２３が相互に接続されると、導体２４は第二のコネクタ６の二つの端子６ａ、６ｂ間に接続される。
【００１７】
以上の構成において、認証されたアンテナ素子２１を有するアンテナ装置２０が送受信装置１に装着されると、二つのアンテナ接栓５、２２が相互に接続されると共に、二つのコネクタ６、２３が相互に接続される。すると、認証判定手段７には電圧が印加される。よって、送信回路２と受信回路３よによる他の装置との通信が許可される。
【００１８】
しかし、例えば意図的に送信パワーの大きな他のアンテナを用いようとする場合、アンテナ素子のみを送受信器本体１の第二のアンテナ接栓５に接続しても、認証手段である導体２４が第二のコネクタ６に接続されないので通信は禁止される。このとき、第二のコネクタ６に接続可能な他のコネクタを第一のコネクタとして使用しても、そこに導体２４が接続されている可能性はほとんどないので、このような場合にも通信は禁止される。他のコネクタに導体２４を接続するとしても二つのコネクタ６、２３の端子数が多いほど接続すべき端子に接続される確率は下がり、認証されないアンテナを使用した通信を禁止するというセキュリティが向上する。
【００１９】
図２は第二の実施形態を示す。図２において、図１と同一の構成には同一の符号を付してその説明を省略する。アンテナ装置２０内には認証手段となる第一のメモリ２５が設けられ、第一のメモリ２５は第一のコネクタ２３の第一の端子２３ａと第二の端子２３ｂとに接続される。第一のメモリ２５にはアンテナ素子２１を特定する第一の情報（ＩＤ）が格納（記憶）されている。第一の情報としてはアンテナ素子２１の型名、製造番号等のアンテナ素子自体の情報の他に、送信回路２及び受信回路３に接続されることが許可されていることを示す認証情報が含まれる。この第一の情報は専用の書き込み装置（図示せず）によって書き込まれることもあるが、送受信器本体１のメモリ書き込み手段９によって書き込むことも出来る。よって、送受信器本体１は規格に合致するアンテナ素子２１に認証を証明する第一の情報を書き込むための書き込み装置の機能を有する。
【００２０】
送受信器本体１内にはメモリ書き込み手段９と第二のメモリ１０とが設けられる。第二のメモリ１０にはメモリ書き込み手段９から全ての認証されたアンテナを特定する第二の情報が書き込まれる。第二の情報のなかには第一の情報の他に他のアンテナ素子についての認証の情報も含まれる。そして、第二の情報は認証判定手段１１に読み込まれる。認証判定手段１１は第二のコネクタ６の第一の端子６ａに接続され、メモリ書き込み手段９は第二のコネクタ６の第二の端子６ｂに接続される。
【００２１】
以上の構成によれば、認証されたアンテナ素子２１を有するアンテナ装置２０が送受信装置１に装着されると、二つのアンテナ接栓５、２２が相互に接続されると共に、二つのコネクタ６、２３が相互に接続される。そして、送受信の開始に先立って、図示しない制御手段によってこの無線通信端末装置が認証確認モードに切り換えられ、アンテナ素子２１が認証されたものであるかが判定される。
【００２２】
先ず、認証判定手段１１は第一のメモリ２５に書き込まれた第一の情報と第二のメモリ１０に書き込まれた第二の情報とを読み込む。そして、認証判定手段１１は二つの情報を照合する。その結果、情報の内容に一致するものがあればその旨の信号を通信制御手段８に出力し、通信制御手段８によって通信が許可される。よって、アンテナ素子２１を認証するための第一の情報を記憶した第一のメモリ２５がアンテナ装置２０に設けられていなければ通信が禁止される。あるいは、第一のメモリ２５に第一の情報が記憶されていいなければ通信が禁止される。通常は、認証されていないアンテナ素子を有するアンテナ装置には認証手段であるメモリが組み込まれていないのでセキュリティが格段に向上する。
【００２３】
また、第二のメモリ１０には認証された全てのアンテナを特定する第二の情報が記憶されているので、認証された他のアンテナ素子を備えたアンテナ装置を使用しても、そのアンテナ装置内のメモリに第一の情報を書き込まれているので通信は許可される。
【００２４】
図３は第三の実施形態を示す。図３において、図２と同一の構成には同一の符号を付してその説明を省略する。アンテナ装置２０内には第一の変調送信手段２６と、第一の受信復調手段２７と、整流手段２８とが設けられる。第一の変調送信手段の入力端は第一のメモリ２５に接続され、出力端は第一のアンテナ接栓２２に接続される。第一の受信復調手段２７の入力端は第一のアンテナ接栓２２に接続され、出力端は第一のメモリ２５に接続される。また。整流手段の入力端は第一のアンテナ接栓２２に接続され、出力端は第一のメモリ、第一の変調送信手段２６、第一の受信復調手段２７の各電源供給端に接続される。
【００２５】
一方、送受信器本体１には第二の変調送信手段２９と第二の受信復調手段３０とが設けられる。第二の変調送信手段２９の入力端はメモリ書き込み手段９に接続され、出力端は第二のアンテナ接栓５に接続される。また、第二の受信復調手段３０の入力端は第二のアンテナ接栓５に接続され、出力端は認証判定手段１１に接続される。
【００２６】
以上の構成において、送受信器本体１にアンテナ装置を装着した段階で、最初に送受信器本体１の第二の変調送信手段２９はメモリ書き込み手段９からの第一の情報によって高周波信号を変調し、変調された高周波信号を送信する。高周波信号は第一及び第二のアンテナ接栓２２、５を介して第一の受信復調手段２７に入力される。第一の受信復調手段２７は入力された高周波信号を復調して第一の情報を抽出し、第一の情報は第一のメモリ２５に格納される。よって、送受信器本体１によって多数のアンテナ装置２０に第一の情報を格納できる。
【００２７】
また、送受信を開始する前に認証を判定する確認モードに切り換えられるのは図２の場合と同じであり、第一のメモリ２５に格納されている第一の情報が読み出され、第一の変調送信手段２６は第一の情報によって変調した高周波信号を第一及び第二のアンテナ接栓２２、５を介して第二の受信復調手段３０に送信する。第二の受信復調手段３０は高周波信号を復調して第一の情報を抽出し、認証判定手段１１に入力する。認証判定手段には第二のメモリ１０からの第二の情報と第一の情報とを照合して認証の有無を判定する。
【００２８】
よって、第一のメモリへの第一の情報の書き込みにはアンテナ接続用のアンテナ接栓２２、５を介して行われるので、専用のコネクタが不要となり、アンテナ装置２０及び送受信器本体１共に小型化できる。また、アンテナ装置２０には整流手段２８を設けることで、送受信器本体１から送られる高周波信号を整流して第一のメモリ２５、第一の変調送信手段２６、第一の受信復調手段に直流電源電圧を供給できる。さらに、第二の変調送信手段２９にスクランブル機能を備え、第二の受信復調手段３０にデスクランブル機能を備えれば、認証を照合する場合のセキュリティが一層向上する。
【００２９】
【発明の効果】
以上説明したように、本発明は、アンテナ装置にはアンテナ素子の送信回路及び受信回路への接続の許可が認証されていることを示す認証手段を設け、送受信器本体には認証手段による認証の有無を判定する認証判定手段と、認証が得られないときに通信を禁止する通信制御手段とを設けたので、規格外の大きなパワーを送信するような認証されていないアンテナの使用は出来なくなり、他の機器への妨害等を防ぐことが出来る。
【００３０】
また、認証手段を第一のメモリで構成すると共に、第一のメモリにはアンテナを認証するための情報を記憶し、送受信器本体には少なくとも第一の情報を記憶した第二のメモリを設け、第一のメモリから読み出した情報と第二のメモリから読み出した情報とを認証判定手段によって照合すると共に、二つの情報の一致の有無によって認証の有無を判定したので、各メモリに認証の情報を格納しておけば、使用時に必ず認証の有無を判定出来る。
【００３１】
また、送受信器本体にはメモリ書き込み手段を設け、メモリ書き込み手段によって第一のメモリに情報を書き込むと共に、第二のメモリに情報を書き込むようにしたので、送受信器本体を用いて複数のアンテナ装置に認証の与えられる。
【００３２】
また、アンテナ装置にはアンテナ素子に接続された第一のアンテナ接栓を設けると共に、第一のメモリに接続された第一のコネクタとを設け、送受信器本体には送信回路及び受信回路に接続されると共に、第一のアンテナ接栓に接続される第二のアンテナ接栓と、認証判定手段とメモリ書き込み手段とに接続されると共に、第一のコネクタに接続される第二のコネクタを設けたので、認証のための情報を送信信号や受信信号とは切り離して直接アンテナ装置と送受信器本体との間で伝送できる。
【００３３】
また、アンテナ装置には前記アンテナ素子に接続された第一のアンテナ接栓と、第一のアンテナ接栓に接続された第一の変調送信手段及び第一の受信復調手段とを設け、送受信器本体には送信回路及び受信回路に接続されると共に、第一のアンテナ接栓に接続される第二のアンテナ接栓と、第二のアンテナ接栓に接続された第二の変調送信手段及び第二の受信復調手段とを設け、第一の変調送信手段及び第一の受信復調手段を第一のメモリに接続し、第二の変調送信手段をメモリ書き込み手段に接続すると共に、第二の受信復調手段を認証判定手段に接続したので、アンテナ接栓のみを介して認証の情報の伝送ができ、構造的に小型化が図れる。
【００３４】
また、アンテナ装置には第一のアンテナ接栓に接続された整流手段を設け、整流手段から第一のメモリと第一の変調送信手段及び第一の受信復調手段に給電したので、アンテナ装置には電源としての電池を使用しなくて済み、小型化、低コスト化できる。
【００３５】
また、アンテナ装置にはアンテナ素子に接続された第一のアンテナ接栓と、第一のコネクタとを設け、送受信器本体には前記送信回路及び受信回路に接続されると共に、第一のアンテナ接栓に接続される第二のアンテナ接栓と、認証判定手段に接続されると共に、第一のコネクタに接続される第二のコネクタとを設け、認証手段を、アンテナ装置内で第一のコネクタの二つの端子間に接続された導体によって構成し、第一のコネクタの二つの端子に対応して接続される第二のコネクタの二つの端子の一方に認証判定手段を接続し、他方に直流電圧を印加したので、簡単な構成で認証の有無を判定できる。
【図面の簡単な説明】
【図１】本発明の無線通信端末装置の第一の実施形態の構成を示す回路図である。
【図２】本発明の無線通信端末装置の第二の実施形態の構成を示す回路図である。
【図３】本発明の無線通信端末装置の第三の実施形態の構成を示す回路図である。
【図４】従来の無線通信端末装置の構成を示す回路図である。
【符号の説明】
１  送受信器本体
２  送信回路
３  受信回路
４  デュプレクサ
５  第一のアンテナ接栓
６  第二のコネクタ
６ａ  第一の端子
６ｂ  第二の端子
７  認証判定手段
８  通信制御手段
９  メモリ書き込み手段
１０  第二のメモリ
１１  認証判定手段
２０  アンテナ装置
２１  アンテナ素子
２２  第二のアンテナ接栓
２３  第一のコネクタ
２３ａ  第一の端子
２３ｂ  第二の端子
２４  導体（認証手段）
２５  第一のメモリ（認証手段）
２６  第一の変調送信手段
２７  第一の受信復調手段
２８  整流手段
２９  第二の変調送信手段
３０  第二の受信復調手段
【図１】
2004208260.tif 000003
【図２】
2004208260.tif 000004
【図３】
2004208260.tif 000005
【図４】
2004208260.tif 000006